【手続補正書】
【提出日】平成18年9月13日(2006.9.13)
【手続補正１】
【補正対象書類名】明細書
【補正対象項目名】特許請求の範囲
【補正方法】変更
【補正の内容】
【特許請求の範囲】
【請求項１】
信号送信装置であって、該装置は、
（ａ）第１のデータを供給する第１の出力と第２のデータを供給する第２の出力とを生成するように動作可能なコード化手段であって、第1のデータからはデコーダが再構成された信号を生成できるものと、
（ｂ）データパケットを送信のためにアセンブルするように動作可能な手段と、を備え、
該コード化手段は前記第１の出力と前記第２の出力の両方を生成するよう動作可能なコーダを備え、第２の出力はエンハンスメントデータを含み、それによって第１および第２のデータの両者を受け取るデコーダはより高品質の再構成された信号を生成することができ、
各パケットは、信号の時間部分に関する第１のデータと信号の同じ時間部分に関する第２のデータとを含む一次データと、信号の異なる時間部分に関する第１のデータを含むが、その部分に関する第２のデータを含まない二次データとを含む、信号送信装置。
【請求項２】
前記異なる時間部分が、一次データによって表わされる部分より後の部分である請求項１に記載の装置。
【請求項３】
前記異なる時間部分が、一次データによって表わされる部分の直後の部分である請求項２に記載の装置。
【請求項４】
前記異なる時間部分が、一次データによって表わされる部分に先行する部分である請求項１に記載の装置。
【請求項５】
該アセンブリ手段は、パケット内に含まれる一次データの時間的な順番を示すシーケンスコードを各パケット内に含むように構成されている請求項１ないし請求項４のいずれか1項に記載の装置。
【請求項６】
該コーダはエンハンスメントデータを供給する複数の出力を生成するように動作することができ、エンハンスメントデータの連続する組は再構成された信号品質に対する連続的な改良を表わしており、該一次データは全てのこのような出力を含み、該二次データは信号の同じ複数の異なる時間部分に関する第１のデータと、これらの部分に関する次第に数が減る第２のデータの組とを含む請求項１ないし請求項５のいずれか１項に記載の装置。
【請求項７】
該信号がオーディオ信号であり、該コーダがオーディオ信号コーダである請求項１ないし請求項６のいずれか1項に記載の装置。
【請求項８】
該コーダはサブバンドコーダであり、第１のデータはより低い周波数のコーダサブバンドのデータに関係するデータを含み、第２のエンハンスメントデータはより高い周波数のサブバンドに関するデータを含む請求項７に記載の装置。
【請求項９】
第１のデータはディジタル値の二値表示を含み、第２のデータは前記ディジタル値のより細かい分解能を表わす追加のビットを含む請求項１ないし請求項８のいずれか１項に記載の装置。
【請求項１０】
前記サブバンドオーディオコーダは、
（ａ）サンプリングされたオーディオ信号を受取り、かつこの信号を、各々が周波数のサブバンドにそれぞれ対応している複数のサブバンド信号に分けるフィルタ手段と、
（ｂ）サブバンド信号を量子化する量子化装置と、
（ｃ）信号特徴に依存して量子化装置によって使用されることになる量子化レベル数を適応して判断するビット割り当て手段とを含み、
該量子化装置は、前記第１のデータを供給する第１の出力を有し、前記第１のデータはいくつかの前記サブバンドについての量子化値を含み、さらに前記第２のデータを供給する第２の出力を有し、前記第２のデータは、第１の出力において供給される量子化された値に関する少なくとも１つのサブバンドについて、このサブバンドについてよりも粗度の低い量子化された値を表わす追加のエンハンスメントビットを含み、またここで、ビット割り当て手段が第１の割り当て動作を実行するように動作可能であり、第１の割り当て動作では第１の出力についての第１の所定のビット割り当て分がサブバンド間で割り当てられ、次に第２の割り当て動作では、第２の出力における追加のビットについての第２の所定のビット割り当て分がサブバンド間で割り当てられる請求項８に記載の装置。
【請求項１１】
前記第２の出力はさらに、第１の出力では与えられない量子化された値に関する少なくとも1つのサブバンドについての量子化された値を供給する請求項１０に記載のコーダ。
【請求項１２】
前記量子化装置は少なくとも１つの別の出力をもち、第２およびその他の出力は各場合においてより低い順番の出力では表わされないサブバンドに対する値を与えるか、または、より低い順番の出力において表わされるサブバンドに追加のビットを与えるか、あるいはこの両方を行い、ビット割り当て手段は出力数に等しい数の多数の割り当て動作を実行するように動作可能であり、各割り当て動作では、サブバンド間の各ビット割り当て分を各出力に割り当てるように動作する請求項１０または請求項１１に記載のコーダ。
【請求項１３】
信号受信装置であって、該装置は、
（ａ）データパケットを受取る手段と、
（ｂ）該受取ったパケットを記憶するバッファと、
（ｃ）デコーダと、
（ｄ）制御手段と、を備え、
各受け取られたパケットは、信号の時間部分に関する第１のデータ、および信号の同じ部分に関する第２のエンハンスメントデータを含む一次データと、信号の異なる時間部分に関する第１のデータを含む二次データとを含んでおり、
該デコーダは第１のデータのみから再構成された信号を生成でき、かつ第１および第２のデーダから一緒により高品質の再構成された信号を生成することができ、
該制御手段は、バッファから信号の継続する時間部分に関して一次データを読み取り、それらをデコーダへ送り、言語の時間部分に関する一次データがバッファにない場合は、その代わりにその時間部分に関する二次データを読取り、それをデコーダへ送るように動作可能である、装置。
【請求項１４】
制御手段は、言語の時間部分に関する二次データがバッファにない前記場合には、言語信号の異なる時間部分に関する第２のエンハンスメントデータを読み取り、それをデコーダへ送るように動作可能である請求項１３に記載の装置。
【請求項１５】
各パケットは、その中に含まれている一次データの時間シーケンスを示すシーケンスコードを含み、前記制御手段は、パケットの実際の受取り順序とは無関係にシーケンスコードを参照してパケットの時間シーケンスを判断するように動作することができる請求項１３または請求項１４に記載の装置。
【請求項１６】
該信号がオーディオ信号であり、該デコーダがオーディオ信号デコーダである請求項１３ないし請求項１５のいずれか１項に記載の装置。
【請求項１７】
送信のために信号をコード化する方法であって、該方法は、
（ａ）第１のデータを供給する第１の出力と第２のデータを供給する第２の出力とを生成するために信号をコーディングする段階であって、第1のデータからはデコーダが再構成された信号を生成できるものと、
（ｂ）データパケットを送信のためにアセンブルする段階と、を備え、
第２の出力はエンハンスメントデータを含み、それによって第１および第２のデータの両者を受け取るデコーダはより高品質の再構成された信号を生成することができ、
各パケットは、信号の時間部分に関する第１のデータと信号の同じ部分に関する第２のデータとを含む一次データと、信号の異なる時間部分に関する第１のデータを含むが、その部分に関する第２のデータを含まない二次データとを含む、方法。
【請求項１８】
前記異なる時間部分が、一次データによって表わされる部分より後の部分である請求項１７に記載の方法。
【請求項１９】
前記異なる時間部分が、一次データによって表わされる部分の直後の部分である請求項１８に記載の方法。
【請求項２０】
前記異なる時間部分が、一次データによって表わされる部分に先行する部分である請求項１７に記載の方法。
【請求項２１】
該アセンブルする段階の間、パケット内に含まれる一次データの時間的なシーケンスを示すシーケンスコードを各パケット内に含む請求項１７ないし請求項２０のいずれか1項に記載の方法。
【請求項２２】
該コード化する段階において、エンハンスメントデータを供給する複数の出力が生成され、エンハンスメントデータの連続する組は再構成された信号品質に対する連続的な改良を表わしており、該一次データは全てのこのような出力を含み、該二次データは信号の同じ複数の異なる時間部分に関する第１のデータと、これらの部分に関する次第に数が減る第２のデータの組とを含む請求項１７ないし請求項２１のいずれか１項に記載の方法。
【請求項２３】
該信号がオーディオ信号であり、該コード化する段階がオーディオ信号コーダによって実行される請求項１７ないし請求項２２のいずれか1項に記載の方法。
【請求項２４】
該コード化する段階コーダはサブバンドコーダにより実行され、第１のデータはより低い周波数のコーダサブバンドのデータに関係するデータを含み、第２のエンハンスメントデータはより高い周波数のサブバンドに関するデータを含む請求項２３に記載の方法。
【請求項２５】
第１のデータはディジタル値の二値表示を含み、第２のデータは前記ディジタル値のより細かい分解能を表わす追加のビットを含む請求項１７ないし請求項２４のいずれか１項に記載の方法。
【請求項２６】
前記サブバンドオーディオコーダは、
（ａ）サンプリングされたオーディオ信号を受取り、かつこの信号を、各々周波数のサブバンドにそれぞれ対応している複数のサブバンド信号に分けるサブバンドコーダのフィルタ手段を用いることと、
（ｂ）サブバンドコーダの量子化装置を用いてサブバンド信号を量子化することと、
（ｃ）サブバンドコーダのビット割当て手段を用いて信号特徴に依存して量子化装置によって使用されることになる量子化レベル数を適応して判断することと、
（ｄ）該量子化装置の第１の出力で、前記第１のデータを供給することであって、該第１のデータはいくつかの前記サブバンドについての量子化値を含むものと、
（ｅ）第２の出力で、前記第２のデータを供給することであって、前記第２のデータは、第１の出力において供給される量子化された値に関する少なくとも１つのサブバンドについて、このサブバンドについてよりも粗度の低い量子化された値を表わす追加のエンハンスメントビットを含みものと、
（ｆ）第１の割り当て動作を実行することであって、第１の出力についての第１の所定のビット割り当て分がサブバンド間で割り当てられ、次に第２の割り当て動作では、第２の出力における追加のビットについての第２の所定のビット割り当て分がサブバンド間で割り当てられるもの、とを備える請求項２４に記載の方法。
【請求項２７】
前記第２の出力はまた、第１の出力では与えられない量子化された値に関する少なくとも1つのサブバンドについての量子化された値を供給する請求項２６に記載の方法。
【請求項２８】
請求項１７ないし請求項２７のいずれか１項の方法によってコード化された信号を送信する方法。
【請求項２９】
信号を処理する方法であって、
（ａ）データパケットを受取る段階であって、各パケットは、信号の時間部分に関する第１のデータ、および信号の同じ部分に関する第２のエンハンスメントデータを含む一次データと、信号の異なる時間部分に関する第１のデータを含む二次データとを含むものと、
（ｂ）該受取ったパケットをバッファに記憶する段階と、
（ｃ）バッファから信号の継続する時間部分に関して一次データを読み取り、該１次
データをデコーダへ送る段階であって、デコーダは第１のデータと第２のデータと一緒により高品質の再構成された信号を生成することができるものと、
（ｄ）言語の時間部分に関する一次データがバッファにない場合は、その代わりにその時間部分に関する二次データを読取り、それをデコーダへ送る段階と、
（ｅ）段階（ｃ）で読み取った一次データをデコーディングして第１のデータだけから再構成された信号を生成する段階と、
（ｆ）段階（ｄ）で読み取った二次データをデコーディングして再構成された信号を生成する段階と、含む方法。
【請求項３０】
言語の時間部分に関する二次データがバッファにない前記場合には、言語信号の異なる時間部分に関する第２のエンハンスメントデータを読み取り、それをデコーダへ送る請求項２９に記載の方法。
【請求項３１】
各パケットは、その中に含まれている一次データの時間シーケンスを示すシーケンスコードを含み、該方法は、パケットの実際の受取り順序とは無関係にシーケンスコードを参照してパケットの時間シーケンスを判断する段階を含む請求項２９または請求項３０に記載の方法。
【請求項３２】
該信号がオーディオ信号であり、該デコーダがオーディオ信号デコーダである請求項２９ないし請求項３１のいずれか１項に記載の方法。